(57)【要約】【課題】  フォーカルプレーンシャッタを内蔵するデジタルカメラに焦点距離の短い撮影レンズを装着した場合に発生する不具合を解消して撮影画像の高画質化を実現する。【解決手段】  イメージセンサ２と、このイメージセンサ２に被写体像を結像させる撮影レンズ３と、イメージセンサ２と撮影レンズ３間に配したフォーカルプレーンシャッタＦを備えるデジタルカメラ１を構成するに際して、撮影レンズ３の焦点距離Ａ…に係わる情報を選択して入力する焦点距離入力手段４と、この焦点距離入力手段４から入力した情報に基づき、イメージセンサ２から得る撮像信号Ｓｖに対して、フォーカルプレーンシャッタＦの移動方向における相対的な輝度が均一になるように補正する輝度補正手段５とを備える。【選択図】  図１
2006121631.tif 000002
【特許請求の範囲】
【請求項１】
イメージセンサと、このイメージセンサに被写体像を結像させる撮影レンズと、前記イメージセンサと前記撮影レンズ間に配したフォーカルプレーンシャッタとを備えるデジタルカメラにおいて、前記撮影レンズの焦点距離に係わる情報を選択して入力する焦点距離入力手段と、この焦点距離入力手段から入力した前記情報に基づき、前記イメージセンサから得る撮像信号に対して、前記フォーカルプレーンシャッタの移動方向における相対的な輝度が均一になるように補正する輝度補正手段とを備えることを特徴とするデジタルカメラ。
【請求項２】
前記焦点距離入力手段は、ファインダ内に表示する視野枠を前記焦点距離に対応して選択する視野枠選択手段に兼用させたことを特徴とする請求項１記載のデジタルカメラ。
【請求項３】
前記輝度補正手段は、前記焦点距離に対応した補正データを有するデータベースを備え、前記焦点距離入力手段の選択に対応した補正データにより補正を行うことを特徴とする請求項１記載のデジタルカメラ。
【請求項４】
前記輝度補正手段は、前記フォーカルプレーンシャッタのシャッタ速度が一定速度以上のときに補正を行うことを特徴とする請求項１又は３記載のデジタルカメラ。
【請求項５】
前記撮影レンズは、カメラ本体に対して交換可能な交換レンズであることを特徴とする請求項１記載のデジタルカメラ。
【発明の詳細な説明】
【技術分野】
【０００１】
本発明は、イメージセンサと撮影レンズ間に配したフォーカルプレーンシャッタを備えるデジタルカメラに関する。
【背景技術】
【０００２】
従来、イメージセンサと、このイメージセンサに被写体像を結像させる撮影レンズと、イメージセンサと撮影レンズ間に配したフォーカルプレーンシャッタとを備えるデジタルカメラとしては、例えば、特開２００３−１６７２８５号公報に開示されるフォーカルプレーンシャッタを備えたデジタルカメラが知られている。
【０００３】
フォーカルプレーンシャッタは、複数の羽根部材によりそれぞれ構成された先羽根と後羽根からなる二つのシャッタ羽根を、被写体光路用の開口部の上下位置に個別に配したものであり、シャッタ作動時には、先羽根と後羽根間に形成されるスリットがイメージセンサの下側から上側に移動して露光を行う。フォーカルプレーンシャッタは、主にフィルム使用のカメラに用いられていたが、シャッタ機構を小型化できるなどの利点からデジタルカメラにも採用されるに至っている。
【特許文献１】特開２００３−１６７２８５
【発明の開示】
【発明が解決しようとする課題】
【０００４】
しかし、フォーカルプレーンシャッタを備える従来のデジタルカメラは、次のような問題点があった。
【０００５】
即ち、図７に示すように、フォーカルプレーンシャッタＦは、先羽根Ｆａと後羽根Ｆｂの前後位置が間隔Ｓｘを介してオフセットしているため、同図（ａ）のように、撮影レンズの焦点距離が長い場合には、被写体光Ｌがイメージセンサの光電面Ｅに対してほぼ垂直に近い角度で入射し、フォーカルプレーンシャッタＦのスリットＳが下側と上側のいずれの位置にあっても、同一の露光量を得るそれぞれのスリット幅ＳａとＳｂはほぼ同じになる。換言すれば、上下方向における相対的な輝度差はほとんど生じることがなく、実用上は無視できる。
【０００６】
これに対して、同図（ｂ）のように、撮影レンズの焦点距離が短い場合には、被写体光Ｌがイメージセンサの光電面Ｅに対して大きく傾斜した角度で入射するため、フォーカルプレーンシャッタＦのスリットＳが下側と上側のそれぞれの位置において同一の露光量を得るには、上側の位置でスリット幅Ｓａを狭くし、下側の位置でスリット幅Ｓｂを広くする必要がある。即ち、スリット幅ＳａとＳｂが同じであれば、上側の位置で相対的な露光量が多くなり、下側の位置で相対的な露光量が少なくなる。
【０００７】
このように、この種のフォーカルプレーンシャッタＦを備えるデジタルカメラでは、広角レンズ等の焦点距離の短い撮影レンズを装着した場合、フォーカルプレーンシャッタＦのスリットＳが上下位置にあるときに相対的な輝度差が発生し、撮影画像における縦方向（フォーカルプレーンシャッタＦの移動方向）の輝度が不均一になることにより画質の低下を招く問題があった。
【０００８】
本発明は、このような背景技術に存在する課題を解決したデジタルカメラの提供を目的とするものである。
【課題を解決するための手段】
【０００９】
本発明は、上述した課題を解決するため、イメージセンサ２と、このイメージセンサ２に被写体像を結像させる撮影レンズ３と、イメージセンサ２と撮影レンズ３間に配したフォーカルプレーンシャッタＦとを備えるデジタルカメラ１を構成するに際して、撮影レンズ３の焦点距離Ａ，Ｂ，Ｃに係わる情報を選択して入力する焦点距離入力手段４と、この焦点距離入力手段４から入力した情報に基づき、イメージセンサ２から得る撮像信号Ｓｖに対して、フォーカルプレーンシャッタＦの移動方向における相対的な輝度が均一になるように補正する輝度補正手段５とを備えることを特徴とする。
【００１０】
この場合、発明の好適な態様により、焦点距離入力手段４は、ファインダ１１内に表示する視野枠１２ａ…を焦点距離Ａ…に対応して選択する視野枠選択手段１３に兼用させることができる。一方、輝度補正手段５は、焦点距離Ａ…に対応した補正データＤｓを有するデータベース１４を備え、焦点距離入力手段４の選択に対応した補正データＤｓ…により補正を行うことができるとともに、フォーカルプレーンシャッタＦのシャッタ速度が一定速度以上のときに補正を行うことができる。なお、撮影レンズ３は、カメラ本体１５に対して交換可能な交換レンズ３ｃを用いることができる。
【発明の効果】
【００１１】
このような構成を有する本発明に係るデジタルカメラ１によれば、次のような顕著な効果を奏する。
【００１２】
（１）  フォーカルプレーンシャッタＦを内蔵するデジタルカメラ１に、焦点距離Ａ…の短い撮影レンズ３を装着した場合に発生するフォーカルプレーンシャッタＦのスリットＳが上下位置にあるときの相対的な輝度差を解消できるため、撮影レンズ３における焦点距離Ａ…の長さに拘わりなく撮影画像の全体における輝度の均一化、更には高画質化を実現できる。
【００１３】
（２）  好適な態様により、焦点距離Ａ…に対応した補正データＤｓを有するデータベース１４を備え、焦点距離入力手段４の選択に対応した補正データＤｓ…により補正を行う輝度補正手段５を設ければ、輝度補正手段５における処理系の簡易化と実施の容易化に寄与できる。
【００１４】
（３）  好適な態様により、フォーカルプレーンシャッタＦのシャッタ速度が一定速度以上のときに補正を行う輝度補正手段５を設ければ、無用な補正処理を回避できる。
【００１５】
（４）  好適な態様により、ファインダ１１内に表示する視野枠１２ａ…を焦点距離Ａ…に対応して選択する視野枠選択手段１３に焦点距離入力手段４を兼用させれば、操作の単純化による利便性の向上及び構成の簡略化による低コスト性の向上に寄与できる。
【００１６】
（５）  好適な態様により、撮影レンズ３として、カメラ本体１５に対して交換可能な交換レンズ３ｃを用いれば、交換レンズ３ｃを用いるデジタルカメラ１における不具合を解消、即ち、フォーカルプレーンシャッタＦのスリットＳが上下位置にあるときの相対的な輝度差を解消できるため、交換レンズ３ｃの種類に拘わりなく撮影画像の全体における輝度の均一化、更には高画質化を実現できる。
【発明を実施するための最良の形態】
【００１７】
次に、本発明に係る最良の実施形態を挙げ、図面に基づき詳細に説明する。
【００１８】
まず、本実施形態に係るデジタルカメラ１の構成について、図１〜図５を参照して説明する。
【００１９】
デジタルカメラ１は、図２及び図３に示すように、カメラ本体１５を備え、このカメラ本体１５の前面には、バヨネット式のレンズマウント２１を介して交換レンズ３ｃ（撮影レンズ３）を着脱できる。例示の交換レンズ３ｃ（図１）は、５群７枚構成の広角レンズであり、ピント調整リング２２及び絞り調整リング２３を備えている。
【００２０】
一方、カメラ本体１５におけるレンズマウント２１の上方には、ファインダ１１を備え、このファインダ１１は、対物窓２５及び採光窓２６を有するとともに、背面には接眼窓２７を有する。また、カメラ本体１５の上面には、視野枠切替レバー２８，アクセサリシュー２９，シャッタ速度調整ダイヤル３０，レリーズボタン３１を備える。視野枠切替レバー２８は、視野枠選択手段１３を構成するとともに、後述する焦点距離入力手段４を兼用する。このように、視野枠選択手段１３と焦点距離入力手段４を兼用させることにより、操作の単純化による利便性の向上及び構成の簡略化による低コスト性の向上に寄与できる。さらに、カメラ本体１５の背面には、電源スイッチ３２，ＬＣＤ（液晶表示）パネル３３，操作パネル３４を備えるとともに、カメラ本体１５の側面には、カードスロット３５を備える。このカードスロット３５には、デジタル画像データを記録するメモリカード３６を装填する。
【００２１】
図４は、ファインダ１１の構成を詳細に示す。３７は、上述した対物窓２５に配設するカバーガラスであり、この後方に、対物レンズ３８，ハーフプリズム３９，接眼レンズ４０を配設し、この接眼レンズ４０は、上述した接眼窓２７に臨む。４１は、上述した採光窓２６に臨む採光マスクであり、この後方に、視野枠パネル４２，反射ミラー４３を配設し、この反射ミラー４３の反射光は、ハーフプリズム３９に入射する。この場合、対物レンズ３８には凹レンズを使用し、接眼レンズ４０には凸レンズを使用して逆ガリレオ式光学系を構成する。また、視野枠パネル４２には、撮影範囲を示す矩形状のスリットによる大小複数（実施例は三つ）の視野枠１２ａ，１２ｂ，１２ｃが形成されている。
【００２２】
これにより、被写体側からの入射光は、採光マスク４１により白色光となって透過するとともに、視野枠パネル４２を通過し、さらに反射ミラー４３を反射してハーフプリズム３９に入射する。この際、視野枠切替レバー２８の操作により、白色光を通過させる視野枠１２ａ…が不図示の切替機構により切替えられ、接眼窓２７を覗く撮影者には、切替られた白色の視野枠１２ａ…がファインダ像に重なって視認できる。
【００２３】
一方、視野枠切替レバー２８は、交換レンズ３ｃを焦点距離の異なる他の交換レンズ３ｃに交換した際に、交換した交換レンズ３ｃの焦点距離に対応して切替えるものであり、図１に示すように、焦点距離Ａ，Ｂ，Ｃを選択することができる。この場合、焦点距離Ａは、焦点距離が比較的短く、焦点距離Ａ，Ｂ，Ｃの順に、焦点距離が長くなる。交換レンズ３ｃには、例示する焦点距離の短い広角レンズの他に、焦点距離の長い望遠レンズ，焦点距離が広角レンズと望遠レンズの中間に位置する標準レンズ等があるため、交換された交換レンズ３ｃ…の焦点距離に一致又は最も近い焦点距離Ａ…を、視野枠切替レバー２８により選択すればよい。したがって、視野枠切替レバー２８における表示は、焦点距離を示す数値であってもよいし、交換レンズ３ｃ…の種類、即ち、望遠，標準，広角等の文字であってもよい。
【００２４】
これにより、視野枠切替レバー２８を切替操作すれば、この切替に連動して、視野枠パネル４２の視野枠１２ａ…が切替わり、上述したように、交換された交換レンズ３ｃの撮影範囲に対応した視野枠１２ａ…がファインダ視野内に表示される。具体的には、広角レンズを装着し、視野枠切替レバー２８を焦点距離Ａに切替操作すれば、ファインダ１１の視野内には大きな視野枠が表示されるとともに、望遠レンズを装着し、視野枠切替レバー２８を焦点距離Ｃに切替操作すれば、ファインダ１１の視野内には小さな視野枠が表示される。
【００２５】
他方、カメラ本体１５の内部には、ＣＣＤを用いたイメージセンサ２を備えるとともに、このイメージセンサ２と交換レンズ３ｃ間に配設したフォーカルプレーンシャッタＦを備える。フォーカルプレーンシャッタＦは、図５に示すように、被写体光路用の開口部５１ｏを有するシャッタケース５１を備え、このシャッタケース５１の一方側にはシャッタ駆動部５２を配設する。シャッタケース５１の内部であって、開口部５１ｏの上側位置と下側位置には、複数の羽根部材によりそれぞれ構成した先羽根Ｆａと後羽根Ｆｂからなる二つのシャッタ羽根を個別に配設する。これにより、シャッタ作動時には、シャッタ駆動部５２によって先羽根Ｆａと後羽根Ｆｂ間に形成されるスリットＳが、イメージセンサ２の下側から上側に移動して露光を行う。なお、前述した図７に示すように、先羽根Ｆａと後羽根Ｆｂの前後位置は、間隔Ｓｘを介してオフセットする。
【００２６】
図１はデジタルカメラ１の処理系（電気系）のブロック回路図を示す。フォーカルプレーンシャッタＦの後方に配設するイメージセンサ２は、その光電面上に赤色（Ｒ），緑色（Ｇ），青色（Ｂ）の微小なマイクロカラーフィルターがマトリクス状に配列しており、交換レンズ３ｃを通して結像された被写体像を画素ごとに光電変換し、ＲＧＢ各色の輝度情報を有する撮像信号を出力する。そして、イメージセンサ２の後段には、このイメージセンサ２から得る撮像信号を増幅するアンプ６１，このアンプ６１の出力信号が付与される輝度補正手段５を構成する輝度補正回路６２，この輝度補正回路６２の出力信号が付与される信号処理回路６３を順次備えるとともに、この信号処理回路６３から得られる画像データＤｖを登録する画像データメモリ６４を備える。６５は、デジタルカメラ１の電気的な作動を制御するＣＰＵであり、輝度補正回路６２及び画像データメモリ６４は、このＣＰＵ６５により管理される。さらに、ＣＰＵ６５には、前述したレリーズボタン３１，操作パネル３４及びカードスロット３５を接続する。
【００２７】
また、ＣＰＵ６５に接続したシステムメモリ６６を備える。このシステムメモリ６６には、前述した各焦点距離Ａ，Ｂ，Ｃにそれぞれ対応した三種類の補正データＤｓ…を有するデータベース１４を格納する。この補正データＤｓ…を有するデータベース１４は、輝度補正手段５の一部を構成する。このような補正データＤｓ…を利用することにより、処理系の簡易化と実施の容易化に寄与できる。これにより、視野枠切替レバー２８により焦点距離Ａ…が選択されれば、この選択された情報はＣＰＵ６５に付与され、対応する補正データＤｓ…がデータベース１４から読み出される。したがって、視野枠切替レバー２８は、ファインダ１１内に表示する視野枠１２ａ…を焦点距離Ａ…に対応して切替える視野枠選択手段１３を構成するとともに、焦点距離入力手段４を兼用する。なお、システムメモリ６６には、ＣＰＵ６５により各部の作動制御を実行するためのシーケンスプロゲラムも格納されている。
【００２８】
その他、６７はＣＰＵ６５からの駆動信号によりイメージセンサ２を作動させるＣＣＤドライバ、６８はＣＰＵ６５からの画像信号によりＬＣＤパネル３３を作動させるＬＣＤドライバをそれぞれ示す。
【００２９】
次に、本実施形態に係るデジタルカメラ１の使用方法及び動作（機能）について、各図を参照しつつ図６に示すフローチャートに従って説明する。
【００３０】
デジタルカメラ１を使用する際には、最初に電源スイッチ３２をＯＮにする（ステップＳ１）。この際、操作パネル３４により撮影モード以外のモード、即ち、再生モードや設定モード等が選択されている場合には、選択されているモードによる処理を行なうことができる（ステップＳ２，Ｓ３）。
【００３１】
一方、撮影モードが選択されている場合には、デジタルカメラ１により撮影を行うことができる（ステップＳ２）。この際、新しい交換レンズ３ｃに交換した場合には、視野枠切替レバー２８により視野枠１２ａ…の設定を行う（ステップＳ４）。今、交換レンズ３ｃとして広角レンズが装着された場合を想定する。広角レンズの場合、焦点距離が短いため、この焦点距離に一致又は最も適した（近い）焦点距離となる焦点距離Ａを選択する。即ち、視野枠切替レバー２８を切換操作して焦点距離Ａに合わせる。これにより、ファインダ１１の視野内には大きな視野枠１２ａが表示される。
【００３２】
また、視野枠切替レバー２８により焦点距離Ａが選択されることにより、焦点距離Ａに係わる情報がＣＰＵ６５に付与され、撮像信号Ｓｖに対して補正を要する焦点距離であるか否か判断される（ステップＳ５）。本実施形態では、異なる焦点距離として三つの焦点距離Ａ，Ｂ，Ｃを例示するが、前述した図７（ａ）に示す望遠レンズのように、焦点距離が長い場合であって、上下方向の相対的な輝度差が無視できるような場合には、補正を要しない焦点距離と判断し、三つの焦点距離Ａ，Ｂ，Ｃのうち、二つの焦点距離Ａ，Ｂに対してのみ補正を行うことができ、この条件は予め設定することができる。例示の場合、焦点距離Ａが選択されているため、補正を要する焦点距離と判断され、焦点距離Ａに対応する補正データＤｓがデータベース１４から読出されるとともに、輝度補正回路６２が機能する補正処理モードとなる（ステップＳ６）。
【００３３】
なお、望遠レンズが装填され、焦点距離Ｃが選択された場合には、補正を要しない焦点距離と判断され、輝度補正回路６２は機能しない。即ち、補正処理モードが解除された状態となり、輝度補正回路６２に付与される撮像信号Ｓｖは、そのまま次段の信号処理回路６３に付与される（ステップＳ５）。
【００３４】
さらに、シャッタ速度に係わる情報がＣＰＵ６５に付与され、一定のシャッタ速度以上に設定されたときのみ、補正処理モードが維持されるとともに、一定のシャッタ速度に満たない設定がされたときは、補正処理モードが解除される（ステップＳ７，Ｓ８）。この場合、シャッタ速度に係わる情報は、マニュアル撮影モードによりシャッタ速度調整ダイヤル３０による設定があった場合にはその設定情報となり、また、オート撮影モードが選択されている場合には、自動設定された設定情報となる。このように、フォーカルプレーンシャッタＦのシャッタ速度が一定速度以上のときに補正を行うようにすれば、無用な補正処理を回避できる。例示は、一定のシャッタ速度以上であるものとする。したがって、補正処理モードは維持される。
【００３５】
次いで、撮影を行う（ステップＳ９）。この場合、マニュアル撮影モード時には、ピント調整リング２２を操作して被写体距離に応じたピント調整を行うとともに、絞り調整リング２３を操作して被写体輝度に応じて絞り調整を行う。この際、撮影者が接眼窓２７を覗けば、視野枠切替レバー２８により選択した視野枠１２ａが表示されるため、被写体を確認しながら構図を決定することができる。そして、レリーズボタン３１を押すことにより、シャッタ駆動部５２が作動し、フォーカルプレーンシャッタＦにおける先羽根Ｆａと後羽根Ｆｂがそれぞれ下から上へ移動、即ち、先羽根Ｆａと後羽根Ｆｂ間に形成されるスリットＳがイメージセンサ２の下側から上側に移動し、いわゆるシャッタを切った状態となる。
【００３６】
これにより、露光が行われ、交換レンズ３ｃを通過した被写体像は、イメージセンサ２に結像する。この結果、イメージセンサ２から撮像信号が出力し、この撮像信号は、アンプ６１により適度なレベルまで単調増幅され、増幅された撮像信号Ｓｖは、輝度補正回路６２に送られて補正処理が行われる（ステップＳ１０）。この場合、補正処理は、輝度補正回路６２に、データベース１４から読み出された補正データＤｓが付与され、この補正データＤｓにより撮像信号Ｓｖ中の輝度情報を示す信号電流の増幅率が画素単位で指定される。この増幅率は、撮影画像の輝度がフォーカルプレーンシャッタＦの移動方向において均一になるように予め実験等により定められている。具体的には、フォーカルプレーンシャッタＦのスリットＳが下側位置へ行くほど入射する光量が不足するため、この不足光量を補うように下側位置ほど増幅率が大きくなるように設定されている。即ち、輝度補正回路６２では、撮像信号Ｓｖに対して、補正データＤｓにより指定される対応画素の輝度情報が増幅されるシェーディング補正処理が行われ、光量が低下したまま撮像された被写体像の下側光量が補正される。なお、前述したように、補正を要しない焦点距離Ｃが選択された場合や一定のシャッタ速度に満たない設定のときは、このシェーディング補正処理は行われない。
【００３７】
また、シェーディング補正処理が行われた撮像信号Ｓｖは、信号処理回路６３に送られ、ホワイトバランス調整処理（ＷＢ），ガンマ補正処理（γ），アナログ／デジタル変換処理（Ａ／Ｄ）等の必要な信号処理が行われる（ステップＳ１１）。そして、信号処理回路６３から得られる画像データＤｖは、画像データメモリ６４に一時書込みされるとともに、メモリカード３６に保存（記録）され、さらに、ＬＣＤドライバ６８によりＬＣＤパネル３３に被写体画像として表示される（ステップＳ１２）。他方、次の処理があれば、同様にステップＳ２から実行される（ステップＳ１３）。なお、次の処理を行わない場合には電源スイッチ３２をＯＦＦにすればよい（ステップＳ１４）。
【００３８】
このような本実施形態に係るデジタルカメラ１によれば、フォーカルプレーンシャッタＦを内蔵するデジタルカメラ１に、焦点距離Ａ…の短い撮影レンズ３を装着した場合に発生するフォーカルプレーンシャッタＦのスリットＳが上下位置にあるときの相対的な輝度差を解消できるため、撮影レンズ３における焦点距離Ａ…の長さに拘わりなく撮影画像の全体における輝度の均一化、更には高画質化を実現できる。
【００３９】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００４０】
例えば、焦点距離入力手段４は、視野枠選択手段１３（視野枠切替レバー２８）に兼用させた場合を示したが、操作パネル３３等に別途設けてもよい。また、焦点距離入力手段４により選択できる焦点距離として三つの焦点距離Ａ，Ｂ，Ｃを例示したが、任意数により実施できる。一方、輝度補正手段５として、焦点距離Ａ…に対応した補正データＤｓを有するデータベース１４を用いた場合を例示したが、その他、変換関数を設定し、この変換関数を用いた演算処理により補正を行ってもよいし、実際の輝度特性をリアルタイムで測定し、この輝度特性の増減を相殺する補正を行ってもよい。なお、フォーカルプレーンシャッタＦのシャッタ速度が一定速度以上のときに補正を行う場合、シャッタ速度の大きさに対応した補正を行ってもよい。即ち、シャッタ速度の大きさに対応した補正データＤｓを用意してもよい。これにより、より高精度の補正を行うことができる。さらに、撮影レンズ３として、交換レンズ３ｃを例示したが、非交換レンズであってもよい。この場合、製造段階において、使用する非交換レンズに対応した焦点距離Ａ…をカメラ本体１５の内部で選択する焦点距離入力手段４を用いることもできる。また、装着した交換レンズ３ｃの種類をカメラ本体１５側が自動認識し、これに基づいて自動で視野枠切替，焦点距離選択，シェーディング補正処理等を行ってもよい。他方、シェーディング補正を、アナログ信号である撮像信号Ｓｖに対して行う場合を示したが、デジタル変換した画像データＤｖに対してデジタル処理によるシェーディング補正を行ってもよい。また、フォーカルプレーンシャッタＦは上下方向に移動する場合を示したが、左右方向であってもよく、この場合、本実施形態で用いた上下を左右と読み替えればよい。なお、バヨネット式のレンズマウント２１を例示したが、スクリュー式や他のタイプのレンズマウントであっても同様に適用できる。
【図面の簡単な説明】
【００４１】
【図１】本発明の最良の実施形態に係るデジタルカメラの処理系（電気系）のブロック回路図、
【図２】同デジタルカメラの前側から見た外観斜視図、
【図３】同デジタルカメラの後側から見た外観斜視図、
【図４】同デジタルカメラに備えるファインダの構成図、
【図５】同デジタルカメラに備えるフォーカルプレーンシャッタの概略構成図、
【図６】同デジタルカメラの使用方法及び動作（機能）を説明するためのフローチャート、
【図７】背景技術に係るデジタルカメラに備えるフォーカルプレーンシャッタの説明図、
【符号の説明】
【００４２】
１    デジタルカメラ
２    イメージセンサ
３    撮影レンズ
３ｃ  交換レンズ
４    焦点距離入力手段
５    輝度補正手段
１１  ファインダ
１２ａ…  視野枠
１３  視野枠選択手段
１４  データベース
１５  カメラ本体
Ｆ    フォーカルプレーンシャッタ
Ｓｖ  撮像信号
Ｄｓ  補正データ
【図１】
2006121631.tif 000003
【図２】
2006121631.tif 000004
【図３】
2006121631.tif 000005
【図４】
2006121631.tif 000006
【図５】
2006121631.tif 000007
【図６】
2006121631.tif 000008
【図７】
2006121631.tif 000009